(57)【要約】 【課題】  指による入力およびペンによる入力などの入力手段への入力の仕方に応じて、入力しやすいように表示画面のレイアウトを自動的に切り換えることができる情報処理装置を提供することを目的とする。【解決手段】  入力手段と表示手段とが一体化された情報処理装置である。入力用ペン１４をペン収納部から抜き出すことによって、入力用ペン１４を接触させて座標入力すると判定して、表示部１２の下部にスイッチボタン３１を小さく表示させる。また、入力用ペン１４をペン収納部に収納することによって、左手３４または右手３５の指を接触させて座標入力すると判定して、表示部１２の左端部または右端部にスイッチボタンを大きく表示させる。【選択図】      図４
2007179502.tif 000002
【特許請求の範囲】
【請求項１】
入力手段と表示手段とが一体化され、入力のためのキーを表示する情報処理装置であって、
前記入力手段に入力する入力種別を判定する判定手段と、
前記判定手段の判定結果に基づいて、前記表示手段に表示するキーの表示形態を切り換える制御手段とを有することを特徴とする情報処理装置。
【請求項２】
前記制御手段は、前記判定結果および操作者の操作内容に基づいて、前記表示手段に表示するキーの表示形態を切り換えることを特徴とする請求項１記載の情報処理装置。
【請求項３】
前記表示形態は、レイアウトであることを特徴とする請求項１または２記載の情報処理装置。
【請求項４】
前記判定手段は、前記入力種別が指による入力であるかペンによる入力であるかを判定することを特徴とする請求項１〜３のいずれか１つに記載の情報処理装置。
【請求項５】
前記制御手段は、前記入力種別が指による入力であると前記判定手段が判定すると、前記表示手段に表示するキーを拡大することを特徴とする請求項４記載の情報処理装置。
【請求項６】
前記ペンを収納するペン収納部と、
前記ペン収納部に前記ペンが収納されているか否かを検出する検出手段とを備え、
前記判定手段は、前記検出手段の検出結果に基づいて、前記入力種別を判定することを特徴とする請求項４記載の情報処理装置。
【請求項７】
情報処理装置を保持する手が、右手であるか左手であるかを判断する判断手段を備え、
前記制御手段は、前記判断手段の判断結果に基づいて、前記表示手段に表示するキーの表示形態を切り換えることを特徴とする請求項１に記載の情報処理装置。
【請求項８】
前記制御手段は、前記表示手段の表示画面の右端側にキーを配置することを特徴とする請求項７記載の情報処理装置。
【請求項９】
前記制御手段は、前記表示手段の表示画面の左端側にキーを配置することを特徴とする請求項７記載の情報処理装置。
【請求項１０】
前記制御手段は、前記キーの操作頻度に基づいて、前記表示手段に表示するキーの表示形態を切り換えることを特徴とする請求項８または９記載の情報処理装置。
【請求項１１】
前記制御手段は、情報処理装置を保持している手の親指で操作できる位置にキーを配置することを特徴とする請求項７〜９のいずれか１つに記載の情報処理装置。
【請求項１２】
前記制御手段は、前記判定手段で両手で保持していると判定した場合、両手の親指で操作できる位置にキーを配置することを特徴とする請求項７記載の情報処理装置。
【請求項１３】
アプリケーションソフトウエアの種別を判別する判別手段を備え、
前記制御手段は、前記判定手段での判定の結果、指による入力であると判定し、かつ、前記判別手段で予め定めるアプリケーションソフトウエアである場合、前記表示手段に表示するキーの表示形態を切り換えることを特徴とする請求項１記載の情報処理装置。
【発明の詳細な説明】
【技術分野】
【０００１】
本発明は、入力手段と表示手段とが一体化された情報処理装置に関する。
【背景技術】
【０００２】
ＰＤＡ（Personal Digital Assistance）などの携帯用の情報処理装置は、入力手段としてキーボードなどを用いるのではなくて、タッチパネルがＬＣＤ（Liquid Crystal
Display）などの表示手段と一体化されたものが普及している。このようなタッチパネルと表示手段とが一体化された情報処理装置は、表示手段に表示されるアイコンなどソフトキーを指および専用のペンで触れることによって、操作を行う。
【０００３】
しかしながら、指で入力する場合およびペンで入力する場合などタッチパネルへの入力の仕方が異なると、使用しやすいソフトキーの大きさや位置などの表示画面のレイアウトが異なる。したがって、表示画面のレイアウトが固定されていると、非常に操作しにくいなどの不都合が生じる場合がある。
【０００４】
たとえば、指で入力する場合、ソフトキーが小さかったり、その間隔が狭かったりすると、指では細かな座標入力ができないので、誤入力が多くなってしまう。さらに、右手の指で入力する場合、表示画面の左側にソフトキーが配置されていると、操作する際、指が表示画面を覆ってしまって、操作しにくくなる。
【０００５】
また、ペンで入力する場合は、ソフトキーが小さく、その間隔が狭くても、正確に入力できるので、ソフトキーが大きく、その間隔が広かったりすると、ソフトキー以外を表示する領域が必要以上に狭くなったり、表示画面に同時に表示できるソフトキーの数が必要以上に少なくなったりする。
【０００６】
そこで、右手の指で入力するモード、左手の指で入力するモードおよびペンで入力するモードなどの種々のモードから操作者が最適なモードを選択して、その選択されたモードによって、ソフトキーの大きさなどを変更する。このような場合、操作者が予めモードを選択しなければならず、指による入力からペンによる入力に変更するなどの入力の仕方を途中で変更する場合、モードを選択しなおす必要がある。
【０００７】
また、他の典型的な従来の技術は、特許文献１および特許文献２に記載されている。特許文献１の情報提供装置は、利用者の手に持って使用される音声入出力部と、利用者が情報やコマンドを入力する入力部を表示する表示部と、音声入力部が利用者の左右いずれの手で持たれたかを検出する検出手段と、検出手段の検出結果に基づいて、入力部の表示位置を変更する位置変更手段とを備えた情報提供装置である。
【０００８】
特許文献２の情報入出力装置は、座標入力手段と表示手段が一体化された情報入出力装置において、座標入力を行うための入力用ペンと、座標入力手段への座標入力時に、入力用ペンが使用されたか指が使用されたかを判定する判定手段と、判定手段による判定結果に応じて、表示手段に表示する表示画面構成を変更する変更手段とを備えた情報入出力装置である。
【０００９】
【特許文献１】特開平７−６４７０８号公報
【特許文献２】特開２００３−２７１３１０号公報
【発明の開示】
【発明が解決しようとする課題】
【００１０】
特許文献１で開示されている情報提供装置は、音声入力部を右手で持っているか左手で持っているかによって、入力部の表示位置を入力しやすい位置に変更することができる。したがって、利用者は、不自然な姿勢をとらなくても容易に装置を操作することができる。しかしながら、音声入力部を右手で持っているか左手で持っているかの検出を、音声入力部と本体との距離に基づいて行っているので、誤動作が多い。また、利用者の操作する手が右手か左手かを判断して、入力部の表示位置が移動するだけである。
【００１１】
特許文献２で開示されている情報入出力装置は、座標入力の際、ペンが使用されたか指が使用されたかによって、画面に表示されているアイコン群の大きさおよびその間隔を変更することができる。しかしながら、ペン入力か指入力かによって、アイコン群の大きさおよびその間隔を変更するだけであって、アイコン群の位置および配列などを変更して、操作しやすい表示画面のレイアウトに切り換えるものではない。また、操作する手が右手か左手かによって、アイコン群の大きさおよびその間隔を変更するものでもない。
【００１２】
本発明の目的は、指による入力およびペンによる入力などの入力手段への入力の仕方に応じて、入力しやすいように表示手段に表示するキーの表示形態を切り換えることを目的とし、今少し詳細には、入力しやすいように表示画面のレイアウトを自動的に切り換えることができる情報処理装置を提供することである。
【課題を解決するための手段】
【００１３】
本発明は、入力手段と表示手段とが一体化され、入力のためのキーを表示する情報処理装置であって、
前記入力手段に入力する入力種別を判定する判定手段と、
前記判定手段の判定結果に基づいて、前記表示手段に表示するキーの表示形態を切り換える制御手段とを有することを特徴とする情報処理装置である。
【００１４】
また本発明は、前記制御手段は、前記判定結果および操作者の操作内容に基づいて、前記表示手段に表示するキーの表示形態を切り換えることを特徴とする。
【００１５】
また本発明は、前記表示形態は、レイアウトであることを特徴とする。
また本発明は、前記判定手段は、前記入力種別が指による入力であるかペンによる入力であるかを判定することを特徴とする。
【００１６】
また本発明は、前記制御手段は、前記入力種別が指による入力であると前記判定手段が判定すると、前記表示手段に表示するキーを拡大することを特徴とする。
【００１７】
また本発明は、前記ペンを収納するペン収納部と、
前記ペン収納部に前記ペンが収納されているか否かを検出する検出手段とを備え、
前記判定手段は、前記検出手段の検出結果に基づいて、前記入力種別を判定することを特徴とする。
【００１８】
また本発明は、情報処理装置を保持する手が、右手であるか左手であるかを判断する判断手段を備え、
前記制御手段は、前記判断手段の判断結果に基づいて、前記表示手段に表示するキーの表示形態を切り換えることを特徴とする。
【００１９】
また本発明は、前記制御手段は、前記表示手段の表示画面の右端側にキーを配置することを特徴とする。
【００２０】
また本発明は、前記制御手段は、前記表示手段の表示画面の左端側にキーを配置することを特徴とする。
【００２１】
また本発明は、前記制御手段は、前記キーの操作頻度に基づいて、前記表示手段に表示するキーの表示形態を切り換えることを特徴とする。
【００２２】
また本発明は、前記制御手段は、情報処理装置を保持している手の親指で操作できる位置にキーを配置することを特徴とする。
【００２３】
また本発明は、前記制御手段は、前記判定手段で両手で保持していると判定した場合、両手の親指で操作できる位置にキーを配置することを特徴とする。
【００２４】
また本発明は、アプリケーションソフトウエアの種別を判別する判別手段を備え、
前記制御手段は、前記判定手段での判定の結果、指による入力であると判定し、かつ、前記判別手段で予め定めるアプリケーションソフトウエアである場合、前記表示手段に表示するキーの表示形態を切り換えることを特徴とする。
【発明の効果】
【００２５】
本発明によれば、入力手段と表示手段とが一体化され、入力のためのキーを表示する情報処理装置である。この情報処理装置は、判定手段によって、入力手段に入力する入力種別を判定し、制御手段によって、その判定結果に基づいて、表示手段に表示するキーの表示形態を切り換える。
【００２６】
そうすることによって、入力手段に入力する入力種別に応じて、入力しやすいように表示手段に表示するキーの表示形態を切り換えることができる。たとえば、指による入力およびペンによる入力などの入力手段への入力の仕方である入力種別を変更すると、入力しやすいように表示画面のレイアウトなどの表示形態を自動的に切り換えることができる。
【００２７】
また本発明によれば、制御手段は、判定結果および操作者の操作内容に基づいて、表示手段に表示するキーの表示形態を切り換える表示切換手段を備える。
【００２８】
そうすることによって、判定結果および操作者の操作内容に基づいて設定された表示形態に切り換えることができる。したがって、表示手段に表示するキーの表示形態を、より入力しやすい表示形態に切り換えることができる。たとえば、操作者によって、操作されたときは、制御手段は、判定結果だけではなくて、操作者の操作内容にも基づいて、表示形態を切り換える。
【００２９】
また本発明によれば、表示形態は、レイアウトであるので、入力種別を変更すると、入力しやすいように表示画面のレイアウトを自動的に切り換えることができる。
【００３０】
また本発明によれば、判定手段は、入力種別が指による入力であるかペンによる入力であるかを判定するので、表示手段に表示するキーの表示形態を、それぞれに応じた入力しやすい表示形態に切り換えることができる。
【００３１】
また本発明によれば、制御手段は、入力種別が指による入力であると判定手段が判定すると、表示手段に表示するキーを拡大するので、指による入力の場合、入力手段と接触する面積が大きく、細かな座標入力ができないので、誤入力しやすいが、このような誤入力を防止することができる、指による入力に適した表示形態に切り換えることができ、指による入力の不都合をなくすことができる。
【００３２】
また本発明によれば、ペンを収納するペン収納部と、ペン収納部にペンが収納されているか否かを検出する検出手段とを備え、判定手段は、検出手段の検出結果に基づいて、入力種別を判定する。
【００３３】
そうすることによって、ペン収納部からペンが抜き出されていると、ペンによる入力であると判定し、ペン収納部にペンが収納されていると、指による入力であると判定する。したがって、ペンの挿抜によって、表示形態を自動的に切り換えることができる。
【００３４】
また本発明によれば、情報処理装置を保持する手が、右手であるか左手であるかを判断する判断手段を備え、制御手段は、判断手段の判断結果に基づいて、表示手段に表示するキーの表示形態を切り換える。
【００３５】
そうすることによって、情報処理装置を右手で持っているか左手でもっているかによって、表示形態を自動的に切り換えることができる。
【００３６】
また本発明によれば、制御手段は、表示手段の表示画面の右端側にキーを配置する。そうすることによって、たとえば、右手で情報処理装置を持って、右手の親指などで入力する場合および左手で情報処理装置を持って、右手の指で入力する場合などに、指が表示画面を覆うことなく操作することができる表示形態に切り換えることができる。
【００３７】
また本発明によれば、制御手段は、表示手段の表示画面の左端側にキーを配置する。そうすることによって、たとえば、左手で情報処理装置を持って、左手の親指などで入力する場合および右手で情報処理装置を持って、左手の指で入力する場合などに、指が表示画面を覆うことなく操作することができる表示形態に切り換えることができる。
【００３８】
また本発明によれば、キーの操作頻度に基づいて、表示手段に表示するキーの表示形態を切り換える。そうすることによって、操作頻度の高いキーが押しやすい位置および大きさなどにした表示形態に切り換えることができる。
【００３９】
また本発明によれば、制御手段は、情報処理装置を保持している手の親指で操作できる位置にキーを配置する。そうすることによって、片手で容易に操作できる表示形態に切り換えることができる。たとえば、一方の手が使用できないような状況のときに、もう一方の手で情報処理装置を持ち、その手で容易に操作できるので、好ましい。
【００４０】
また本発明によれば、制御手段は、判定手段で両手で保持していると判定した場合、両手の親指で操作できる位置にキーを配置する。そうすることによって、情報処理装置を両手で持ったまま、操作することができる表示形態に切り換えることができる。
【００４１】
また本発明によれば、アプリケーションソフトウエアの種別を判別する判別手段を備え、制御手段は、判定手段での判定の結果、指による入力であると判定し、かつ、判別手段で予め定めるアプリケーションソフトウエアである場合、表示手段に表示するキーの表示形態を切り換える。そうすることによって、表示形態の切り換えが必要であるアプリケーションソフトウエアを使用しているときに、表示形態が自動的に切り換わる。
【発明を実施するための最良の形態】
【００４２】
本実施形態では、情報処理装置の１つとしてＰＤＡ（Personal Digital Assistance）について説明する。図１は、本発明の実施の一形態であるＰＤＡ１１を一方側から見た斜視図であり、図２は、ＰＤＡ１１を他方側から見た斜視図である。ＰＤＡ１１は、表示部１２、ハードキー１３、入力用ペン１４、ペン収納部１５および感圧センサ１６を備えている。
【００４３】
表示部１２は、ＬＣＤ（液晶表示装置）などの表面上に透明なタッチパネルを配置して実現されており、アイコン、スイッチボタンなどのソフトキーなどの入力のためのキーの表示および座標入力が可能である。表示部１２は、指および入力用ペン１４が触れた位置を検知して座標入力することができ、表示されたソフトキーに指および入力用ペン１４で触れることによって、ＰＤＡ１１に指示を与えることができる。ハードキー１３は、たとえば、電源キー、メニューキーなどを含み、押下することによって、ＰＤＡ１１に指示を与えることができる。
【００４４】
入力用ペン１４は、表示部１２上で座標入力などの入力を行う際に用いられる。ペン収納部１５は、入力用ペン１４を収納することができ、入力用ペン１４が収納されているか否かを検出することができる。その検出結果は、表示部１２のタッチパネルに入力する入力種別が、指による入力であるか入力用ペン１４による入力であるかの判定に用いられる。感圧センサ１６は、ＰＤＡ１１を持つ領域に複数設けられ、操作者の手が触れているか否かを検出する。それぞれの感圧センサ１６の検出結果は、ＰＤＡ１１を右手で持っているか左手で持っているかの判断に用いられる。
【００４５】
図３は、ＰＤＡ１１の電気的な構成を示すブロック図である。ＰＤＡ１１は、ＣＰＵ
（Central Processing Unit）２０、ＬＣＤ２１、ＬＣＤコントローラ２２、タッチパネル２３、タッチパネルコントローラ２４、ＲＯＭ２５、ＲＡＭ２６、ペン挿抜検出器２７、ハードキー１３、感圧センサ１６および入力用ペン１４を備えている。
【００４６】
ＬＣＤ２１は、画像などを表示する表示手段であり、アイコン、スイッチボタンなどのソフトキーを表示することができる。タッチパネル２３は、ＬＣＤ２１と一体化されており、表面に入力用ペン１４および指を接触させることにより、座標を入力する入力手段である。
【００４７】
ＣＰＵ２０は、ＰＤＡ１１全体の制御を行う。ＬＣＤコントローラ２２は、ＣＰＵ２０から伝えられた情報をＬＣＤ２１に表示させる。タッチパネルコントローラ２４は、タッチパネル２３により入力された情報をＣＰＵ１０に伝える。ＣＰＵ２０、ＬＣＤコントローラ２２およびタッチパネルコントローラ２４は、制御手段に相当する。
【００４８】
ＲＯＭ２５は、プログラムなどを記憶しておき、ＲＡＭ２６は、レイアウト条件記憶領域２８、キー入力履歴記憶領域２９およびユーザ設定記憶領域３０などのプログラムのワーク領域などを有する。レイアウト条件記憶領域２８には、ＬＣＤ２１に表示する表示画面のレイアウト条件を記憶し、キー入力履歴記憶領域２９には、ＬＣＤ２１に表示されているソフトキーの操作頻度を記憶し、ユーザ設定記憶領域３０には、操作者によって設定された条件を記憶する。
【００４９】
ペン挿抜検出器２７は、図１に示すペン収納部１５に入力用ペン１４が収納されているか否かを検出し、その検出結果をＣＰＵ２０に伝える。ＣＰＵ２０は、その検出結果に基づいて、表示部１２のタッチパネルに入力する入力種別が、指による入力であるか入力用ペン１４による入力であるかの判定を行う。ＣＰＵ２０およびペン挿抜検出器２７は、ペン収納部１５に入力ペン１４が収納されていると、入力種別が指による入力であり、ペン収納部１５から入力ペン１４が抜き出されていると、入力種別が入力ペン１４による入力であると判定する。ＣＰＵ２０およびペン挿抜検出器２７は、判定手段に相当する。感圧センサ１６は、操作者の手が触れているか否かを検出し、その検出結果をＣＰＵ２０に伝える。ＣＰＵ２０は、その検出結果に基づいて、ＰＤＡ１１を右手で持っているか左手で持っているかの判断を行う。ＣＰＵ２０および感圧センサ１６は、判断手段に相当する。
【００５０】
第１の実施形態であるＰＤＡ１１は、以下の３つの条件に基づいて、表示部１２に表示するキーの表示形態である表示画面のレイアウトを自動的に切り換える切換処理をすることができる。
【００５１】
１つ目の条件は、座標入力する際、表示部１２のタッチパネルに入力する入力種別が何であるかであり、具体的には、入力種別が指による入力であるか、入力種別が入力用ペン１４による入力であるかである。
【００５２】
２つ目の条件は、ＰＤＡ１１を保持する手が右手であるか左手であるかである。
３つ目の条件は、ソフトキーの操作頻度が多いか少ないかである。ＰＤＡ１１は、表示画面のレイアウトを、いずれか１つの条件によって切り換えるようにしてもよいし、いずれか２つの条件によって切り換えるようにしてもよいし、３つのすべての条件によって切り換えるようにしてもよい。また、ＰＤＡ１１は、いずれの条件を有効にするかを操作者が設定できるようにしてもよい。さらに、操作者の操作内容である予め設定した条件、たとえば、指による入力する場合に、ＰＤＡ１１を持っている手の指で操作するか別の手の指で操作するかに基づいて、表示画面のレイアウトを切り換えるようにしてもよい。
【００５３】
まず、１つ目の条件および２つ目の条件の２つの条件を有効にし、指による入力の際、ＰＤＡ１１を持っている手の指で操作するという設定にしたＰＤＡ１１について説明する。
【００５４】
図４は、表示画面のレイアウトの切り換えを説明する図である。図４（ａ）は、入力用ペン１４による入力の場合を示す図であり、図４（ｂ）は、ＰＤＡ１１を左手３４で持ち、指による入力の場合を示す図であり、図４（ｃ）は、ＰＤＡ１１を右手３５で持ち、指による入力の場合を示す図である。なお、指による入力であるか入力用ペン１４による入力であるかの判定は、上述のようにペン収納部１５に入力用ペン１４が収納されているか否かによって行う。また、ＰＤＡ１１を右手で持っているか左手で持っているかの判断は、後述する。
【００５５】
ペン収納部１５から入力用ペン１４が抜かれていると、図４（ａ）に示すように、スイッチボタン３１が、表示部１２の下部に小さく表示される。そうすることによって、入力用ペン１４で入力するので、スイッチボタン３１が、小さく表示されていても、誤入力することなく、スイッチボタン３１以外を表示する領域を大きくすることができる。
【００５６】
ＰＤＡ１１を左手３４で持って、入力用ペン１４をペン収納部１５に収納されていると、図４（ｂ）に示すように、スイッチボタン３２が、表示部１２の左端側に大きく表示される。そうすることによって、大きく表示されるので、指による入力であっても誤入力することない。また、表示部１２の左端側に表示されるので、ＰＤＡ１１を持っている左手３４の親指で操作することができ、スイッチボタン３２を触って操作する際に、指などが表示画面を覆うことがないので好ましい。
【００５７】
ＰＤＡ１１を右手３５で持って、入力用ペン１４をペン収納部１５に収納されていると、図４（ｃ）に示すように、スイッチボタン３３が、表示部１２の右端側に大きく表示される。そうすることによって、右手３５でＰＤＡ１１を持っても、左手３４で持った場合と同様に、片手で誤入力することなく操作でき、指などが表示画面を覆うことがない。
【００５８】
図５は、ＰＤＡ１１を左手で持っているか右手で持っているかの判断を説明する図である。感圧センサ１６は、手が接触することによってオンされ、オンされている感圧センサ１６のある領域を、ＣＰＵ２０に伝える。ＣＰＵ２０は、その感圧センサがオンされている領域を、手とＰＤＡ１１との接触している接触領域とみなす。そうすることによって、ＰＤＡ１１は、感圧センサ１６を用いて、ＰＤＡ１１を持っている手とＰＤＡ１１との接触している接触領域を検出する。
【００５９】
ＰＤＡ１１を左手３４で持っている場合、図５（ａ）に示すように、左手３４とＰＤＡ１１とが接触している接触領域４０が形成されている。接触領域４０としては、ＰＤＡ１１の左側下部に左手３４の親指の付け根部分が接触する接触領域４０ａが形成され、ＰＤＡ１１の右側に、上部から左手３４の中指が接触する接触領域４０ｂと、左手３４の薬指が接触する接触領域４０ｃと、左手３４の小指が接触する接触領域４０ｄとが形成されている。したがって、このような親指の付け根部分が接触している広い接触領域が左側下部に、人差し指、中指、薬指および小指のいずれかが接触している狭い接触領域が右側に複数ある接触領域４０が形成されているとＣＰＵ２０が検出すると、ＰＤＡ１１を左手３４で持っていると判断される。
【００６０】
ＰＤＡ１１を右手３５で持っている場合、図５（ｂ）に示すように、右手３５とＰＤＡ１１とが接触している接触領域４１が形成されている。接触領域４１としては、ＰＤＡ１１の右側下部に右手３５の親指の付け根部分が接触する接触領域４１ａが形成され、ＰＤＡ１１の左側に、上部から右手３５の中指が接触する接触領域４１ｂと、右手３５の薬指が接触する接触領域４１ｃと、右手３５の小指が接触する接触領域４１ｄとが形成されている。したがって、このような親指の付け根部分が接触している広い接触領域が右側下部に、人差し指、中指、薬指および小指のいずれかが接触している狭い接触領域が左側に複数ある接触領域４１が形成されているとＣＰＵ２０が検出すると、ＰＤＡ１１を右手３５で持っていると判断される。
【００６１】
また、ＰＤＡ１１を左手で持っているか右手で持っているかの判断は、上記の場合に限らない。たとえば、左側下部に親指の付け根部分が接触している広い接触領域があれば、左手３４で持っており、右側下部に親指の付け根部分が接触している広い接触領域があれば、右手３５で持っていると判断してもよい。
【００６２】
次に、指による入力の際、ＰＤＡ１１を持っていない手の指で操作するという設定に変えたＰＤＡ１１について説明する。
【００６３】
図６は、表示画面のレイアウトの切り換えを説明する図である。図６（ａ）は、ＰＤＡ１１を左手３４で持ち、指による入力の場合を示す図であり、図６（ｂ）は、ＰＤＡ１１を右手３５で持ち、指による入力の場合を示す図である。なお、ＰＤＡ１１を右手で持っているか左手で持っているかの判断は、後述する。
【００６４】
ＰＤＡ１１を左手３４で持って、入力用ペン１４をペン収納部１５に収納されていると、図６（ａ）に示すように、スイッチボタン３６が、表示部１２の右端側に大きく表示される。そうすることによって、大きく表示されるので、指による入力であっても誤入力することない。また、表示部１２の右端側に表示されるので、ＰＤＡ１１を持っていない右手３５のいずれかの指でスイッチボタン３６を触って操作する際に、指などが表示画面を覆うことがないので好ましい。
【００６５】
ＰＤＡ１１を右手３５で持って、入力用ペン１４をペン収納部１５に収納されていると、図６（ｂ）に示すように、スイッチボタン３７が、表示部１２の左端側に表示される。そうすることによって、右手３５でＰＤＡ１１を持っても、左手３４で持った場合と同様に、誤入力なく操作でき、指などが表示画面を覆うことがない。
【００６６】
また、ペン収納部１５から入力用ペン１４が抜かれていると、ＰＤＡ１１を持っている手の指で操作するという設定にした場合と同様、図４（ａ）に示すように、スイッチボタン３１が、表示部１２の下部に小さく表示される。そうすることによって、入力用ペン１４で入力するので、スイッチボタン３１が、小さく表示されていても、誤入力することなく、スイッチボタン３１以外を表示する領域を大きくすることができる。
【００６７】
図７は、ＰＤＡ１１を左手で持っているか右手で持っているかの判断を説明する図である。ＰＤＡ１１を左手３４で持っている場合、図７（ａ）に示すように、左手３４とＰＤＡ１１とが接触している接触領域４２が形成されている。接触領域４２としては、ＰＤＡ１１の左側に、上部から左手３４の親指が接触する接触領域４２ａと、左手３４の親指の付け根部分が接触する接触領域４２ｂとが形成され、ＰＤＡ１１の右側に、上部から左手３４の中指が接触する接触領域４２ｃと、左手３４の薬指が接触する接触領域４２ｄと、左手３４の小指が接触する接触領域４２ｅとが形成されている。したがって、このような親指の付け根部分が接触している広い接触領域が左側下部に、人差し指、中指、薬指および小指のいずれかが接触している狭い接触領域が右側に複数ある接触領域４２が形成されているとＣＰＵ２０が検出すると、ＰＤＡ１１を左手３４で持っていると判断される。
【００６８】
ＰＤＡ１１を右手３５で持っている場合、図７（ｂ）に示すように、右手３５とＰＤＡ１１とが接触している接触領域４３が形成される。接触領域４３としては、ＰＤＡ１１の右側に、上部から右手３５の親指が接触する接触領域４３ａと、右手３５の親指の付け根部分が接触する接触領域４３ｂとが形成され、ＰＤＡ１１の左側に、上部から右手３５の中指が接触する接触領域４３ｃと、右手３５の薬指が接触する接触領域４３ｄと、右手３５の小指が接触する接触領域４３ｅとが形成されている。したがって、このような親指の付け根部分が接触している広い接触領域が右側下部に、人差し指、中指、薬指および小指のいずれかが接触している狭い接触領域が左側に複数ある接触領域４３が形成されているとＣＰＵ２０が検出すると、ＰＤＡ１１を右手３５で持っていると判断される。
【００６９】
また、ＰＤＡ１１を左手で持っているか右手で持っているかの判断は、上記の場合に限らない。たとえば、左側下部に親指の付け根部分が接触している広い接触領域があれば、左手３４で持っており、右側下部に親指の付け根部分が接触している広い接触領域があれば、右手３５で持っていると判断してもよい。
【００７０】
このようなＰＤＡ１１を左手で持っているか右手で持っているかの判断の場合は、操作者が、ＰＤＡ１１を持っている手の指で操作するか、ＰＤＡ１１を持っていない手の指で操作するかを予め設定しておく必要がある。ＰＤＡ１１を持っていない手の指で操作する場合、図７に示すように、接触領域４２に、ＰＤＡ１１を持っている手の親指が接触する領域４２ａがあり、ＰＤＡ１１を持っている手の指で操作する場合、図５に示すように、ＰＤＡ１１を持っている手の親指で操作するので、そのような領域はない。したがって、このＰＤＡ１１を持っている手の親指に対応する領域があるか否かによって、ＰＤＡ１１を持っている手の指で操作する場合と、ＰＤＡ１１を持っていない手の指で操作する場合とを判断するようにしてもよい。
【００７１】
図８は、ＰＤＡ１１の表示部１２の表示画面例であり、電子書籍の表示画面を表示した例である。図８（ａ）は、入力用ペン１４による入力の場合を示す図であり、図８（ｂ）は、左手３４の指による入力の場合を示す図であり、図８（ｃ）は、右手３５の指による入力の場合を示す図である。
【００７２】
入力用ペン１４による入力の場合、図８（ａ）に示すように、スイッチボタン４５が、表示部１２の下部に小さく表示されるので、文章が表示される文章表示部４８を大きくすることができる。左手３４の指による入力の場合、図８（ｂ）に示すように、スイッチボタン４６が、表示部１２の左端部に大きく表示されるので、指であっても誤入力することなく、操作中に手などが表示画面を覆うことなく操作することができる。右手３５の指による入力の場合、図８（ｃ）に示すように、スイッチボタン４７が、表示部１２の右端部に大きく表示されるので、指であっても誤入力することなく、操作中に手などが表示画面を覆うことなく操作することができる。
【００７３】
上記の切換処理は、電子書籍を閲覧するためのアプリケーションソフトウエアなどのソフトキーの少ないアプリケーションソフトウエアを使用したときにのみ、実行されるようにし、スケジュールソフトウエアなどのソフトキーが多いアプリケーションソフトウエアでは実行しないようにしてもよい。また、操作者が予め定めるアプリケーションソフトウエアのみに、実行されるようにしてもよい。そうすることによって、表示画面のレイアウトの切り換えが必要であるアプリケーションを使用しているときに、表示画面のレイアウトが自動的に切り換わる。
【００７４】
次に、上記の設定に加え、３つ目の条件を有効にした場合について説明する。図９は、ＰＤＡ１１の表示部１２の表示画面例である。３つ目の条件を有効にした場合、操作頻度に応じて、ソフトキーの大きさおよび位置を切り換えることができ、たとえば、以下のような表示画面例が挙げられる。
【００７５】
まず、初期設定の表示画面として、予め定められた大きさで、表示画面上方から予め定められた順番でスイッチボタンが表示されるように設定されている。たとえば、図８（ｂ）に示すように、「Ｐａｇｅ  Ｎｅｘｔ」、「Ｐａｇｅ  Ｂａｃｋ」、「←」、「→」、「ＯＰＥＮ」、「ＣＬＯＳＥ」に対応するスイッチボタン４６が、すべて同じ大きさで表示され、この順番で上方から表示されるように設定されている。
【００７６】
図９（ａ）は、操作頻度が高いスイッチボタン５１を、大きく、画面上方に表示するように設定した表示画面例である。操作頻度が、「Ｐａｇｅ  Ｎｅｘｔ」、「←」、「→」、「Ｐａｇｅ  Ｂａｃｋ」、「ＯＰＥＮ」、「ＣＬＯＳＥ」の順に高い場合、図９（ａ）に示すような表示画面に切り換わる。
【００７７】
「Ｐａｇｅ  Ｎｅｘｔ」、「←」、「→」、「Ｐａｇｅ  Ｂａｃｋ」、「ＯＰＥＮ」、「ＣＬＯＳＥ」の順に、上方からそれぞれに対応するスイッチボタン５２が表示される。さらに、「Ｐａｇｅ  Ｎｅｘｔ」および「←」に対応するスイッチボタン５１が予め定められた大きさより大きく表示され、「Ｐａｇｅ  Ｂａｃｋ」、「ＯＰＥＮ」および「ＣＬＯＳＥ」に対応するスイッチボタン５１が予め定められた大きさより小さく表示される。したがって、操作頻度の高いスイッチボタン５１が、表示画面の上方に大きく表示され、操作頻度の低いスイッチボタン５１が、表示画面の下方に小さく表示される。
【００７８】
図９（ｂ）は、操作頻度が高いソフトキーを、大きく表示するように設定した表示画面例である。操作頻度が、「←」、「→」、「Ｐａｇｅ  Ｎｅｘｔ」、「Ｐａｇｅ  Ｂａｃｋ」、「ＯＰＥＮ」、「ＣＬＯＳＥ」の順に高い場合、図９（ｂ）に示すような表示画面に切り換わる。
【００７９】
「←」および「→」に対応するスイッチボタン５２が予め定められた大きさより大きく表示され、「ＯＰＥＮ」および「ＣＬＯＳＥ」に対応するスイッチボタン５２が予め定められた大きさより小さく表示される。したがって、予め定められた順番のまま、操作頻度の高いスイッチボタン５２が、大きく表示され、操作頻度の低いスイッチボタン５２が、小さく表示される。
【００８０】
図９（ｃ）は、操作頻度が高いスイッチボタン５３を大きく表示し、操作頻度が一定の割合より低いスイッチボタン５３は表示しない表示画面例である。操作頻度が、「←」、「→」、「Ｐａｇｅ  Ｎｅｘｔ」、「Ｐａｇｅ  Ｂａｃｋ」、「ＯＰＥＮ」、「ＣＬＯＳＥ」の順に大きく、「ＯＰＥＮ」および「ＣＬＯＳＥ」の操作回数が、著しく少ない場合、図９（ｃ）に示すような表示画面に切り換わる。
【００８１】
「←」および「→」に対応するスイッチボタン５２が予め定められた大きさより大きく表示され、「ＯＰＥＮ」および「ＣＬＯＳＥ」に対応するスイッチボタン５２が表示されない。したがって、予め定められた順番のまま、操作頻度の高いスイッチボタン５２が、より大きく表示されるが、操作頻度の低いスイッチボタン５２が表示されない。表示されないスイッチボタン５２に対応する操作は、ハードキーを操作することによって、行うことができる。
【００８２】
以上のように、操作頻度によって表示画面のレイアウトを切り換えるように設定すると、操作頻度の高いソフトキーを押しやすいレイアウトに切り換えることができる。
【００８３】
図１０は、レイアウトの切替処理を示すフローチャートである。操作者が表示画面に表示されているアイコンに触れる操作などによって、アプリケーションソフトを起動させることによって、ステップＡ１の処理が行われる。
【００８４】
ステップＡ１では、ＣＰＵ２０は、表示画面のレイアウトの切換処理を行う必要のある特定のアプリケーションソフトウエアであるか否かを判断し、特定のアプリケーションソフトウエアであると判断されれば、ステップＡ２に進み、特定のアプリケーションソフトウエアでないと判断されれば、切換処理を終了する。
【００８５】
ステップＡ２では、ＣＰＵ２０は、表示画面のレイアウトを切り換える切換命令があるか否かを判断し、切換命令があると判断されれば、ステップＡ３に進む。また、切換命令がないと判断されれば、ステップＡ２に戻り、切換命令を待つ。切換命令は、操作者からの命令であってもよいし、ＣＰＵ２０自らの命令であってもよい。
【００８６】
ステップＡ３では、ＣＰＵ２０は、ユーザ設定記憶領域３０に記憶されている操作者が設定したユーザ設定を参照し、ステップＡ４に進む。ユーザ設定とは、たとえば、上記のレイアウト条件にいずれを有効にするか無効にするかの設定およびＰＤＡ１１を持っている手の指で操作するか持っていない手の指で操作するかの設定などが挙げられる。
【００８７】
ステップＡ４では、ＣＰＵ２０は、ユーザ設定に基づいて、レイアウト条件設定処理を行って、レイアウト条件を設定し、そのレイアウト条件をレイアウト条件記憶領域２８に記憶させて、ステップＡ５に進む。レイアウト条件設定処理は、表示部１２に接触させる接触物によってレイアウト条件を設定する第１レイアウト条件設定処理、ＰＤＡ１１を持つ手によってレイアウト条件を設定する第２レイアウト条件設定処理およびソフトキーの操作頻度によってレイアウト条件を設定する第３レイアウト条件設定処理があり、これら処理で設定されたレイアウト条件を用いて、最終的に表示画面に表示させるためのレイアウト条件を設定する。
【００８８】
ステップＡ５では、ＣＰＵ２０およびタッチパネルコントローラ２４は、設定されたレイアウト条件に基づいて、表示画面のレイアウトを切り換えて、レイアウトの切換処理を終了する。
【００８９】
図１１は、第１レイアウト条件設定処理を示すフローチャートである。第１レイアウト条件設定処理が開始されると、ステップＢ１の処理が行われる。
【００９０】
ステップＢ１では、ＣＰＵ２０は、ペン挿抜検出器２７から検出された検出結果に基づいて、入力用ペン１４がペン収納部１５に収納されているか否かを判断する。入力用ペン１４がペン収納部１５に収納されていないと判断されれば、入力用ペン１４を用いて入力すると判断でき、ステップＢ２に進む。入力用ペン１４がペン収納部１５に収納されていると判断されれば、指を用いて入力すると判断でき、ステップＢ３に進む。
【００９１】
ステップＢ２では、ＣＰＵ２０は、レイアウト条件１に設定し、ステップＢ４に進む。レイアウト条件１は、入力用ペン１４で入力しやすいレイアウトになるようなレイアウト条件であり、たとえば、図４（ａ）および図８（ａ）に示すような表示画面の下部に小さなソフトキーを表示するようなレイアウト条件である。
【００９２】
ステップＢ３では、ＣＰＵ２０は、レイアウト条件２に設定し、ステップＢ４に進む。レイアウト条件２は、指で入力しやすいレイアウトになるようなレイアウト条件であり、たとえば、図４（ａ）、図４（ｂ）、図８（ａ）および図８（ｂ）に示すような表示画面の右端部または左端部に大きなソフトキーを表示するようなレイアウト条件である。表示画面の右端部に表示するか左端部に表示するかは、操作者が予め設定しておいてもよいし、後述の第２レイアウト条件設定処理で決定してもよい。
【００９３】
ステップＢ４およびステップＢ５では、ＣＰＵ２０は、キー入力およびペンの挿抜を待つ。ステップＢ４では、ＣＰＵ２０は、キー入力があるか否かを判断し、キー入力があると判断されれば、ステップＢ１に戻り、キー入力がないと判断されれば、ステップＢ５に進む。ステップＢ５では、ＣＰＵ２０は、入力用ペン１４の挿抜があるか否かを判断し、挿抜があると判断されれば、ステップＢ１に戻り、挿抜ないと判断されれば、ステップＢ４に戻る。
【００９４】
図１２は、第２レイアウト条件設定処理を示すフローチャートである。第２レイアウト条件設定処理が開始されると、ステップＣ１の処理が行われる。
【００９５】
ステップＣ１では、ＣＰＵ２０は、感圧センサ１６がオンされている領域の情報を受信し、ＰＤＡ１１を持っている手とＰＤＡ１１との接触領域を求め、ステップＣ２に進む。ステップＣ２では、求められた接触領域と、ＲＯＭ２５に記憶されているマッチングパターンとを照合し、ステップＣ３に進む。
【００９６】
ステップＣ３では、ＣＰＵ２０は、接触領域がマッチングパターンＡと一致するか否かを判断し、一致すれば、ステップＣ４に進み、一致しなければ、ステップＣ５に進む。ステップＣ４では、ＣＰＵ２０は、レイアウト条件Ａに設定し、ステップＣ８に進む。また、ステップＣ５では、ＣＰＵ２０は、接触領域がマッチングパターンＢと一致するか否かを判断し、一致すれば、ステップＣ６に進み、一致しなければ、ステップＣ７に進む。ステップＣ６では、ＣＰＵ２０は、レイアウト条件Ｂに設定し、ステップＣ８に進む。ステップＣ７では、ＣＰＵ２０は、レイアウト条件Ｃに設定し、ステップＣ８に進む。
【００９７】
したがって、ステップＣ３〜ステップＣ７では、接触領域によって、レイアウト条件を設定する。ここで、マッチングパターンＡは、図５（ａ）に示すような接触領域４０に対応するマッチングパターンであり、接触領域がマッチングパターンＡと一致すると、ＰＤＡ１１を左手で持っていると判断できる。レイアウト条件Ａは、たとえば、ＰＤＡ１１を持っている手の指で操作すると設定している場合、左手の指で入力しやすいレイアウトになるようなレイアウト条件であり、図４（ｂ）および図８（ｂ）に示すような表示画面の左端側に大きなソフトキーを表示するようなレイアウト条件である。マッチングパターンＢは、図５（ｂ）に示すような接触領域４１に対応するマッチングパターンであり、接触領域がマッチングパターンＢと一致すると、ＰＤＡ１１を右手で持っていると判断できる。レイアウト条件Ｂは、たとえば、ＰＤＡ１１を持っている手の指で操作すると設定している場合、右手の指で入力しやすいレイアウトになるようなレイアウト条件であり、図４（ｃ）および図８（ｃ）に示すような表示画面の右端側に大きなソフトキーを表示するようなレイアウト条件である。
【００９８】
また、マッチングパターンは、上記の２つのマッチングパターンに限らず、たとえば、後述するＰＤＡを両手で持っている場合の、手とＰＤＡとの接触領域に対応するマッチングパターンなどが挙げられる。このような場合に設定されるレイアウト条件は、表示画面の右端側および左端部に大きなソフトキーを表示するようなレイアウト条件である。
【００９９】
ステップＣ８およびステップＣ９では、ＣＰＵ２０は、キー入力およびペンの挿抜を待つ。ステップＣ８では、ＣＰＵ２０は、キー入力があるか否かを判断し、キー入力があると判断されれば、ステップＣ１に戻り、キー入力がないと判断されれば、ステップＣ９に進む。ステップＣ９では、ＣＰＵ２０は、入力用ペン１４の挿抜があるか否かを判断し、挿抜があると判断されれば、ステップＣ１に戻り、挿抜ないと判断されれば、ステップＣ８に戻る。
【０１００】
図１３は、第３レイアウト条件設定処理を示すフローチャートである。第３レイアウト条件設定処理が開始されると、ステップＤ１の処理が行われる。ステップＤ１では、ＣＰＵ２０は、キー入力履歴記憶領域２９に記憶されているソフトキーの操作頻度を参照して、ステップＤ２に進む。ステップＤ２では、ＣＰＵ２０は、ユーザ設定記憶領域３０に記憶されているソフトキーの配置の優先度を設定し、ステップＤ３に進む。たとえば、ソフトキーの操作頻度が多いソフトキーほど表示画面の上方に表示させるように配置したり、ソフトキーの操作頻度に関係なく、決まった配置にしたり、ソフトキーの操作頻度が多いソフトキーほど大きく表示させたりするように設定する。
【０１０１】
ステップＤ３では、ＣＰＵ２０は、ソフトキーの操作頻度およびソフトキーの配置の優先度に基づいて、レイアウト条件を設定する。たとえば、操作頻度が高いソフトキーを、大きく、画面上方に表示するように設定されている場合、レイアウト条件は、図９（ａ）に示すような表示画面になるようなレイアウト条件である。操作頻度が高いソフトキーを、配置を変えずに大きく表示するように設定されている場合、レイアウト条件は、図９（ｂ）に示すような表示画面になるようなレイアウト条件である。また、操作頻度が高いソフトキーを大きく表示し、操作頻度が一定の割合より低いソフトキーは表示しないように設定されている場合、レイアウト条件は、図９（ｃ）に示すような表示画面になるようなレイアウト条件である。
【０１０２】
ステップＤ４では、ＣＰＵ２０は、キー入力があるか否かを判断し、キー入力があると判断されれば、ステップＤ５に進み、キー入力がないと判断されれば、ステップＤ４に戻り、キー入力を待つ。ステップＤ５では、ＣＰＵ２０は、キー入力履歴記憶領域２９に記憶されているソフトキーの操作頻度およびユーザ設定記憶領域３０に記憶されているソフトキーの配置の優先度を更新し、ステップＤ１に戻る。
【０１０３】
第２の実施形態として、ＰＤＡの横幅が大きく、たとえば、左手で持った場合、ＰＤＡの右側まで指が届かないようなＰＤＡについて説明する。
【０１０４】
まず、２つ目の条件を少なくとも有効にし、指による入力の際、ＰＤＡ６１を持っている手の指で操作するという設定にしたＰＤＡ６１について説明する。
【０１０５】
図１４は、表示画面のレイアウトの切り換えを説明する図である。図１４（ａ）は、ＰＤＡ６１を左手６５で持った場合を示す図であり、図１４（ｂ）は、ＰＤＡ６１を右手６６で持った場合を示す図である。なお、ＰＤＡ６１を右手６６で持っているか左手６５で持っているかの判断は、後述する。
【０１０６】
ＰＤＡ６１を左手６５で持っていると、図１４（ａ）に示すように、スイッチボタン６３が、表示部６２の左端側に表示される。そうすることによって、表示部６２の左端側に表示されるので、ＰＤＡ６１を持っている左手６５の親指で操作することができ、スイッチボタン６３を触って操作する際に、指などが表示画面を覆うことがないので好ましい。
【０１０７】
ＰＤＡ６１を右手６６で持っていると、図４（ｂ）に示すように、スイッチボタン６４が、表示部６２の右端側に大きく表示される。そうすることによって、右手６６でＰＤＡ６１を持っても、左手６５で持った場合と同様に、片手で誤入力することなく操作でき、指などが表示画面を覆うことがない。
【０１０８】
次に、指による入力の際、ＰＤＡ６１を持っていない手の指で操作するという設定にしたＰＤＡ６１について説明する。
【０１０９】
図１５は、表示画面のレイアウトの切り換えを説明する図である。図１５（ａ）は、ＰＤＡ６１を左手６５で持った場合を示す図であり、図１５（ｂ）は、ＰＤＡ１１を右手６６で持った場合を示す図である。なお、ＰＤＡ６１を右手で持っているか左手で持っているかの判断は、後述する。
【０１１０】
ＰＤＡ６１を左手６５で持っていると、図１５（ａ）に示すように、スイッチボタン６７が、表示部６２の右端側に表示される。そうすることによって、表示部６２の右端側に表示されるので、ＰＤＡ６１を持っていない右手６６のいずれかの指でスイッチボタン６７を触って操作する際に、指などが表示画面を覆うことがないので好ましい。
【０１１１】
ＰＤＡ６１を右手６６で持っていると、図１５（ｂ）に示すように、スイッチボタン６８が、表示部６２の左端側に表示される。そうすることによって、右手６６でＰＤＡ６１を持っていても、左手６５で持った場合と同様に、指などが表示画面を覆うことがない。
【０１１２】
図１６は、ＰＤＡ６１を左手で持っているか右手で持っているかの判断を説明する図である。ＰＤＡ６１を左手６５で持っている場合、図１６（ａ）に示すように、左手６５とＰＤＡ６１とが接触している接触領域７０が形成されている。接触領域７０としては、ＰＤＡ６１の左側に、上部から左手６５の人差し指が接触する接触領域７０ａと、左手６５の親指の付け根部分が接触する接触領域７０ｂとが形成されている。したがって、このようなＰＤＡ６１の左側に広い接触領域のある接触領域７０が形成されているとＣＰＵ２０が検出すると、ＰＤＡ６１を左手６５で持っていると判断される。
【０１１３】
ＰＤＡ６１を右手６６で持っている場合、図１６（ｂ）に示すように、右手６６とＰＤＡ６１とが接触している接触領域７１が形成されている。接触領域７１としては、ＰＤＡ６１の右側に、上部から右手６６の人差し指が接触する領域７１ａと、右手６６の親指の付け根部分が接触する接触領域７１ｂとが形成されている。したがって、このようなＰＤＡ６１の右側に広い接触領域のある接触領域７１が形成されているとＣＰＵ２０が検出すると、ＰＤＡ６１を右手６６で持っていると判断される。
【０１１４】
また、ＰＤＡ６１を左手で持っているか右手で持っているかの判断は、上記の場合に限らず、たとえば、ＰＤＡ６１の左側に接触領域が形成されていると、左手６５で持っていると判断し、ＰＤＡ６１の右側に接触領域が形成されていると、右手６６で持っていると判断するようにしてもよい。
【０１１５】
また、第１の実施形態であるＰＤＡ１１と同様、第１の条件を有効にして、表示部１２のタブレットに入力する入力種別によって、レイアウトを切り換えるようにしてもよいし、第３の条件を有効にして、ソフトキーの操作頻度によって、レイアウトを切り換えるようにしてもよい。
【０１１６】
第３の実施形態として、ＰＤＡの横幅がさらに大きく、たとえば、両手で持つようなＰＤＡ８１について説明する。
【０１１７】
図１７は、ＰＤＡ８１の表示画面のレイアウトについて説明する図である。両手でＰＤＡ８１を持っていると、図１７に示すように、スイッチボタン８３が、表示部８２の左側および右側の両側に表示される。そうすることによって、大きなＰＤＡであっても、両手で持ちながら、両手の指を用いて操作することができるので、安定して操作することができる。
【０１１８】
図１８は、ＰＤＡ８１を両手で持っているとの判断を説明する図である。ＰＤＡ８１を両手で持っている場合、図１８に示すように、左手８５および右手８６とＰＤＡ６１とが接触している接触領域が形成されている。接触領域としては、ＰＤＡ８１の左側に、左手８５が接触する接触領域９１と、右手８６が接触する接触領域９２とが形成されている。したがって、このようなＰＤＡ８１の両側に接触領域が形成されているとＣＰＵ２０が検出すると、ＰＤＡ８１を両手で持っていると判断される。
【０１１９】
また、第１の実施形態であるＰＤＡ１１および第２の実施形態であるＰＤＡ６１と同様、第１の条件を有効にして、表示部１２のタブレットに入力する入力種別によって、レイアウトを切り換えるようにしてもよいし、第２の条件を有効にして、右手でもっているか左手でもっているかによって、レイアウトを切り換えるようにしてもよいし、第３の条件を有効にして、ソフトキーの操作頻度によって、レイアウトを切り換えるようにしてもよい。入力種別の判定結果および操作者の操作内容に基づいて、レイアウトを切り換えるようにしてもよい。そうすることによって、入力種別が指による入力であるか入力用ペン１４による入力であるかの力種別の判定結果および操作者が予め定めた条件である操作内容に基づいて設定されたレイアウトに切り換えることができる。したがって、より操作しやすいレイアウトに切り換えることができる。たとえば、操作者によって、操作されたときは、判定結果だけではなく、操作者の操作内容にも基づいて、レイアウトを切り換えることができる。
【０１２０】
また、本実施形態は、ＬＣＤと透明なタッチパネルとが一体化されたＰＤＡについて説明したが、パーソナルコンピュータおよび携帯電話機などのＰＤＡ以外の情報処理装置であっても実施可能である。また、透明なタッチパネルを用いた情報処理装置でなくても、様々なレイアウトの不透明なタブレットを複数枚有した情報処理装置であって、たとえば、入力用のペンを持っているか否かおよび装置を右手で持っているか左手で持っているかなどの条件に応じて、その条件に適したレイアウトのタブレットに自動的に切り換わるような情報処理装置であってもよい。
【図面の簡単な説明】
【０１２１】
【図１】本発明の実施の一形態であるＰＤＡ１１を一方側から見た斜視図である。
【図２】ＰＤＡ１１を他方側から見た斜視図である。
【図３】ＰＤＡ１１の電気的な構成を示すブロック図である。
【図４】表示画面のレイアウトの切り換えを説明する図である。
【図５】ＰＤＡ１１を左手で持っているか右手で持っているかの判断を説明する図である。
【図６】表示画面のレイアウトの切り換えを説明する図である。
【図７】ＰＤＡ１１を左手で持っているか右手で持っているかの判断を説明する図である。
【図８】ＰＤＡ１１の表示部１２の表示画面例である。
【図９】ＰＤＡ１１の表示部１２の表示画面例である。
【図１０】レイアウトの切替処理を示すフローチャートである。
【図１１】第１レイアウト条件設定処理を示すフローチャートである。
【図１２】第２レイアウト条件設定処理を示すフローチャートである。
【図１３】第３レイアウト条件設定処理を示すフローチャートである。
【図１４】表示画面のレイアウトの切り換えを説明する図である。
【図１５】表示画面のレイアウトの切り換えを説明する図である。
【図１６】ＰＤＡ６１を左手で持っているか右手で持っているかの判断を説明する図である。
【図１７】ＰＤＡ８１の表示画面のレイアウトについて説明する図である。
【図１８】ＰＤＡ８１を両手で持っているとの判断を説明する図である。
【符号の説明】
【０１２２】
１１，６１，８１，８２  ＰＤＡ
１２，６２  表示部
１３  ハードキー
１４  入力用ペン
１５  ペン収納部
１６  感圧センサ
２０  ＣＰＵ
２１  ＬＣＤ
２２  ＬＣＤコントローラ
２３  タッチパネル
２４  タッチパネルコントローラ
２５  ＲＯＭ
２６  ＲＡＭ
２７  ペン挿抜検出器
２８  レイアウト条件記憶領域
２９  キー入力履歴記憶領域
３０  ユーザ設定記憶領域
３１，３２，３３，３６，３７，４５，４６，４７，５１，５２，５３，６３，６４，６７，６８，８３  スイッチボタン
３４，６５，８５  左手
３５，６６，８６  右手
４０，４１，４２，４３，７０，７１，９１，９２  接触領域
４８，４９，５０  文章表示部
【図１】
2007179502.tif 000003
【図２】
2007179502.tif 000004
【図３】
2007179502.tif 000005
【図４】
2007179502.tif 000006
【図５】
2007179502.tif 000007
【図６】
2007179502.tif 000008
【図７】
2007179502.tif 000009
【図８】
2007179502.tif 000010
【図９】
2007179502.tif 000011
【図１０】
2007179502.tif 000012
【図１１】
2007179502.tif 000013
【図１２】
2007179502.tif 000014
【図１３】
2007179502.tif 000015
【図１４】
2007179502.tif 000016
【図１５】
2007179502.tif 000017
【図１６】
2007179502.tif 000018
【図１７】
2007179502.tif 000019
【図１８】
2007179502.tif 000020